(57)【要約】      （修正有）【課題】カーテンレールに装着したままでもカーテンを開閉する際の邪魔にならず、必要に応じてカーテンを窓から離隔させて、カーテンが結露水に触れて濡れてしまうのを防止することが可能なカーテン補助具を提供する。【解決手段】カーテン補助具１０は、一端１８ａが窓５０に仮止め可能とされ、他端にカーテン押圧部２２を備え、一端１８ａを窓５０に仮止めした状態でカーテン押圧部２２を窓５０から離隔させる離隔棒１２と、上端がカーテンレール４３に沿って移動可能とされ、下端で離隔棒１２の他端側を支持する吊下部１６と、を備えている。【選択図】図３
2020168121.tif 000002
【特許請求の範囲】
【請求項１】
一端が窓に仮止め可能とされ、他端にカーテン押圧部を備え、前記一端を窓に仮止めした状態で前記カーテン押圧部を前記窓から離隔させる離隔棒と、
上端がカーテンレールに沿って移動可能とされ、下端で前記離隔棒の他端側を支持する吊下部と、を備えていることを特徴とするカーテン補助具。
【請求項２】
前記カーテン押圧部は、別体の棒状部材を支持する受け部を備えていることを特徴とする請求項１に記載のカーテン補助具。
【請求項３】
前記吊下部は、その上端に、レールランナもしくはカーテンフックに対して掛止可能な留め具を備えていることを特徴とする請求項１，２の何れか１項に記載のカーテン補助具。
【請求項４】
前記吊下部はチェーンまたは紐を含んで構成され、前記吊下部の下端は前記離隔棒の軸心周りに回転可能に接続されていることを特徴とする請求項１〜３の何れか１項に記載のカーテン補助具。
【請求項５】
前記離隔棒はその軸方向へ伸縮可能である、請求項１〜４の何れかに記載のカーテン補助具。
【請求項６】
請求項２に記載のカーテン補助具を含んで構成され、
仮止め状態の前記カーテン補助具が水平方向に間隔を隔てて複数配置され、
これら複数のカーテン補助具に跨って前記別体の棒状部材が架け渡されていることを特徴とするカーテン補助具組立体。
【発明の詳細な説明】
【技術分野】
【０００１】
本発明は、カーテンを窓から離隔させるカーテン補助具およびその組立体に関する。
【背景技術】
【０００２】
冬場、室内外の温度差により窓に結露が生じる場合がある。このような場合に、窓に近接して吊設されたカーテンが結露水と接触し、カーテンの濡れた部分が窓に張り付いてしまったり、またカーテンの濡れた部分に汚れやカビが生じてしまう問題があった。
【０００３】
カーテンと結露水との接触を防止するためには、カーテンを窓から離隔させる必要がある。カーテンの一部を窓から離隔させる技術として、例えば下記特許文献では、三角板状のカーテン通気板を、その一辺がカーテンレールよりも室内側に突出するように配置し、カーテン通気板の、カーテンレールより室内側に突出した辺でカーテンの一部を保持する点が開示されている。しかしながら、この特許文献に記載のものは、カーテンを窓から離隔させた状態と、カーテンを開閉可能とする通常の状態との切替に、カーテンフックの付替え作業が伴ない手間がかかってしまう。
【先行技術文献】
【特許文献】
【０００４】
【特許文献１】特開２０１３−１５４１５５号公報
【発明の概要】
【発明が解決しようとする課題】
【０００５】
本発明は以上のような事情を背景とし、カーテンレールに装着したままでもカーテンを開閉する際の邪魔にならず、必要に応じてカーテンを窓から離隔させて、カーテンが結露水に触れて濡れてしまうのを防止することが可能なカーテン補助具およびその組付体を提供することを目的としてなされたものである。
【課題を解決するための手段】
【０００６】
本発明者らは上記課題を解決するために鋭意検討を重ねた結果、下記のように本発明に想到した。
この発明の第１の局面は次のように規定される。即ち、
一端が窓に仮止め可能とされ、他端にカーテン押圧部を備え、前記一端を窓に仮止めした状態で前記カーテン押圧部を前記窓から離隔させる離隔棒と、
上端がカーテンレールに沿って移動可能とされ、下端で前記離隔棒の他端側を支持する吊下部と、を備えていることを特徴とするカーテン補助具。
【０００７】
このように規定される第１の局面のカーテン補助具によれば、離隔棒の一端を窓に仮止めした状態でカーテン押圧部によりカーテンを窓から離隔させ、カーテンが結露水に触れて濡れてしまうのを防止することができる。一方で、離隔棒を支持する吊下部はカーテンレールに沿って移動可能とされているため、未使用時（非仮止め状態）において、カーテン補助具は、カーテンとともにカーテンレールに沿って移動可能である。即ち、第１の局面のカーテン補助具は、カーテンレールに装着したままでもカーテンを開閉する際の邪魔にならない利点がある。
【０００８】
この発明の第２の局面は次のように規定される。即ち、
第１の局面で規定のカーテン補助具において、前記カーテン押圧部が、別体の棒状部材を支持する受け部を備えている。
このように規定される第２の局面のカーテン補助具では、カーテン押圧部において別体の棒状部材を支持することができるため、棒状部材によりカーテンを広い範囲に亘って窓から離隔させることができる。
受け部の構造は棒状部材を安定して支持できれば特に限定されない。離隔棒を窓に仮止めした状態で上向き凹状構造となるものとすれば、これへ棒をのせるだけでよい。その他、棒状部材を把持するもの（クリップ等）や、ねじや磁力により棒状部材を着脱自在にとりつけるものでもよい。
【０００９】
この発明の第３の局面は次のように規定される。即ち、
第１又は第２の局面に規定のカーテン補助具において、前記吊下部は、その上端に、レールランナもしくはカーテンフックに対して掛止可能な留め具を備えている。
このように規定される第３の局面のカーテン補助具によれば、従来から窓部に設置されているレールランナやカーテンフックに対し、カーテン補助具を短時間で簡単に装着（または取り外し）できる。
【００１０】
この発明の第４の局面は次のように規定される。即ち、
第１から第３の局面に規定のカーテン補助具において、前記吊下部はチェーンまたは紐を含んで構成され、前記吊下部の下端は前記離隔棒の軸心周りに回転可能に接続されている。
このように規定される第４の局面のカーテン補助具によれば、ぶら下がり状態のカーテン補助具が多数回回転した場合での、離隔棒に対するチェーンまたは紐の絡み付きを良好に防止することができる。
【００１１】
この発明の第５の局面は次のように規定される。即ち、
請求項２に記載のカーテン補助具を含んで構成され、
仮止め状態の前記カーテン補助具が水平方向に間隔を隔てて複数配置され、
これら複数のカーテン補助具に跨って前記別体の棒状部材が架け渡されていることを特徴とするカーテン補助具組立体。
このように規定される第５の局面のカーテン補助具組立体によれば、複数のカーテン補助具に跨って架け渡されている棒状部材により、カーテンを広い範囲に亘って窓から離隔させることができる。
【図面の簡単な説明】
【００１２】
【図１】図１は本発明の一実施形態のカーテン補助具の側面図である。
【図２】図２は図１のカーテン補助具をレールランナに掛止させた状態を示した図である。
【図３】図３は図１のカーテン補助具を窓に仮止めした状態を示した図である。
【図４】図４はカーテンを窓から離隔させる手順の説明図である。
【図５】図５は図４に続く説明図である。
【図６】図６は図５に続く説明図である。
【図７】図７はこの発明の実施の形態の変形態様を示した図である。
【発明を実施するための形態】
【００１３】
以下、図面を参照しながら本発明の一実施形態に係るカーテン補助具について説明する。図１は、本実施形態に係るカーテン補助具の側面図を示している。
このカーテン補助具１０は、離隔棒１２と、離隔棒１２の一端に取り付けられた吸着部材１４と、離隔棒１２の他端側を支持する吊下部１６と、を備えている。
【００１４】
離隔棒１２は、離隔棒本体１８とその図中左端に取り付けられたカーテン押圧部２２を備え、同図に示す軸方向長さＬだけカーテンを窓から離隔させる。ここで軸方向長さＬは、エアコンから吹き出した風によりカーテンが揺れた場合でも窓の結露水と接触しないように、３０ｃｍ以上とすることが望ましい。
離隔棒本体１８は、直管状を成し、吸着部材１４が取り付けられた一端とは反対側の端部に、環状突部１９，２０が形成されている。図１の部分拡大図で示すように、環状突部１９，２０の間において、離隔棒本体１８の外周にリング３７が遊嵌されている。離隔棒本体１８は、例えば直径６ｍｍの中空アルミパイプで構成することが可能である。
離隔棒本体１８はその軸方向に長さを調整できることが好ましい。例えば、コイルばねを内蔵した大径パイプへ小径パイプを挿入して、両者を相対的に回転することにより、軸方向の長さを任意に調節できる、いわゆる伸縮パイプを用いることが好ましい。伸縮の範囲は窓の枠の厚さ以上（例えば５ｃｍ）とする。隣り合う窓には段差があり、この段差を離隔棒本体の長さを調整することで吸収し、もってその先端のカーテン押圧部の位置を揃えるためである。
【００１５】
カーテン押圧部２２は、凹状に曲げ形成された棒状の部材で、別体の横棒部材５５の下縁を支持する受け部２６が形成されている。なお、カーテン押圧部２２の上向きの端部２７には、カーテンと接触したときカーテンを傷つけないように、合成樹脂製のキャップ２８が装着されている。
【００１６】
吸着部材１４は、可撓性を有する合成樹脂製またはゴム製とされ、嵌合孔３０を有し離隔棒１２の一端１８ａと嵌合する軸部３１と、椀状の吸盤３２とが一体に成形されている。本例では、この吸着部材１４の吸盤３２を窓に押し付けることで、離隔棒１２の一端１８ａが吸着部材１４を介して窓に仮止め固定される。また、吸着部材１４に、窓から引き剥がす方向の力を作用させる等することで、吸盤３２による吸着が解除される。なお、吸盤３２は直径２５ｍｍ程の吸着面とすることで仮止め固定に必要な吸着力を得ることができる。
吸着部材４１を可撓性の材料で形成することにより、窓に対する離隔棒１２の立角に自由度が確保できるので、使用が容易になる。
【００１７】
吊下部１６は、チェーン３５と、チェーン３５の上端に取り付けられた留め具４０を備えている。チェーン３５は、その下端がリング３６、更にはリング３７を介して離隔棒１２に接続されており、吊下部１６の下端は、離隔棒１２の軸心周りに回転可能とされている。なお、吊下部１６では、チェーン３５に代えて紐を用いることも可能である。
【００１８】
チェーン３５の上端に取り付けられた留め具４０は、ナスカンで構成され、カーテンレールにて支持されたレールランナ、もしくはこのレールランナに支持されたカーテンフックに掛止可能とされている。この留め具４０の形態は、図示するようなナスカンに限定されるものではなく、レールランナ等に掛止可能な他の形態を適宜採用することができる。また、この留め具４０のチェーン３５に対する取付位置は変更可能である。留め具４０の取付位置を変更することで、仮止め時の離隔棒１２の取付高さＨ（図３参照）が変更される。
【００１９】
図２は、レールランナにカーテン補助具を掛止させた状態を示している。同図において、４３はカーテンレール、４４はカーテンレール４３の長手方向に移動可能なレールランナである。同図に示すように、留め具４０をレールランナ４４に掛止することで、離隔棒１２は吊り下げられ、レールランナ４４とともにカーテンレール４３の長手方向に移動可能となる。即ち、カーテン補助具１０は、カーテンレール４３に装着したままカーテンとともに開閉方向に移動することができ、カーテンの開閉動作が妨げられることはない。
【００２０】
また図３に示すように、離隔棒１２の一端１８ａを窓５０に仮止めすると、カーテン押圧部２２は窓５０から離隔した状態となり、窓５０の内側に吊設されたカーテン４８を押圧し、カーテン４８を窓５０から離隔する。
このとき、カーテン補助具１０の荷重およびカーテン押圧部２２に作用するカーテン４８の荷重は、吊下部１６が掛止されたレールランナ４４と、吸着部材１４が吸着している窓５０により受け止められる。
【００２１】
図３に示すように、仮止め時、離隔棒１２は窓５０に対し垂直となるように配置することが好ましい。吸盤３２を窓５０に向けて押し付ける力が大きくなり、意図せず吸着部材１４が窓５０から外れてしまうことを防止するのに有効だからである。ただし、本例では、離隔棒１２の一端に設けられた吸着部材１４が可撓性を有しているため、仮止め時、離隔棒１２が窓５０に対し厳密に垂直でなくとも、吸着部材１４にて離隔棒１２の傾きが吸収されるため、離隔棒１２の仮止め状態を維持することが可能である。
【００２２】
次に、複数のカーテン補助具１０を用いカーテンを窓から離隔させる手順を説明する。ここでは、図４、図５に示すように、３つのカーテン補助具１０−１、１０−２、１０−３を用いるものとする。
（１）まず、予めカーテン４８を広げた状態（図５参照）にしたとき、略等間隔に位置するレールランナ４４（４４−１、４４−２、４４−３）を選定し、選定したレールランナ４４（４４−１、４４−２、４４−３）に、カーテン補助具１０（１０−１、１０−２、１０−３）の留め具４０を掛止させる（図２参照）。このとき、カーテン補助具１０は窓５０とカーテン４８との間に位置させる。
（２）レールランナ４４に装着されたカーテン補助具１０は、カーテン４８とともに移動可能であり、図４に示すように、カーテン４８を左端に寄せる場合でも、カーテン補助具１０はカーテン４８とともに図中左方向に移動し、カーテン４８の中に隠れるため美観が損なわれることはない。
【００２３】
（３）図４に示す状態を基準としてカーテン補助具１０を使用する場合、まず図５に示すようにカーテン４８を広げる。するとカーテン補助具１０もカーテン４８とともに移動して、カーテン補助具１０は水平方向に間隔を隔てて配置される。
（４）次に、各カーテン補助具１０（１０−１、１０−２、１０−３）の離隔棒１２の一端１８ａを窓５０に仮止めする（図３参照）。
（５）そして、図６に示すように、室内の側に突き出した状態の３つのカーテン補助具１０−１、１０−２、１０−３の、各カーテン押圧部２２に跨って、別体の横棒部材５５を架け渡す。このようにして組み立てられたものが、本発明のカーテン補助具組立体６０を構成する。このカーテン補助具組立体６０では、横棒部材５５により、カーテン４８を広い範囲に亘って窓５０から離隔させることができ、カーテン４８が結露水に触れて濡れてしまうのを防止することができる。また、窓５０とカーテン４８との間に形成される空間Ｓは、天気の良い日であれば程よい温室状態となるため、鳥籠や温かさを好む観葉植物を置くのに好適である。
【００２４】
また、カーテン補助具組立体６０では、カーテン４８を窓５０から離隔させた状態で、窓５０だけ、もしくはカーテン４８だけをある程度移動させることができる。例えば、窓５０を少し開け閉めすることが可能である。このような場合の作業性を考慮すると、横棒部材５５の高さは、人の胸の位置から頭上２０ｃｍまでの範囲とすることが望ましい。
【００２５】
なお、カーテン補助具１０を用いカーテン４８を窓５０から離隔させる手順は、上記の手順に限定されるものではない。上記の手順では、離隔棒１２を仮止めする前（カーテン４８が離隔されないまま）にカーテン４８を広げるため、すでに窓５０に結露が生じている場合、カーテン４８が結露水に触れてしまう場合がある。
このような場合には、図４に示す状態で、まず左端のカーテン補助具１０−１のみを仮止めし、カーテン補助具１０−１のカーテン押圧部２２にて別体の横棒部材５５の一端を保持させるとともに、横棒部材５５の他端については使用者が一時的に保持し、カーテン４８を窓５０から離隔させた状態で、カーテン４８を広げるようにすることも可能である。
【００２６】
以上のように、本実施形態のカーテン補助具１０では、離隔棒１２の一端１８ａを窓５０に仮止めした状態で、カーテン押圧部２２によりカーテン４８を窓５０から離隔させ、カーテン４８が結露水に触れて濡れてしまうのを防止することができる。一方で、離隔棒１２を支持する吊下部１６はカーテンレール４３に沿って移動可能とされているため、未使用時（非仮止め状態）において、カーテン補助具１０はカーテン４８とともにカーテンレール４３に沿って移動可能である。即ち、カーテン補助具１０は、カーテンレール４３に装着したままでもカーテン４８を開閉する際の邪魔にならない利点がある。
【００２７】
本実施形態のカーテン補助具１０では、カーテン押圧部２２が、別体の横棒部材５５の下縁を支持する凹状の受け部２６を備えており、カーテン押圧部２２において横棒部材５５を保持することができる。このため、図６に示すように、複数のカーテン補助具１０に跨って別体の横棒部材５５が架け渡されたカーテン補助具組立体６０を構成することができ、横棒部材５５により、カーテン４８を広い範囲に亘って窓５０から離隔させることができる。
【００２８】
本実施形態のカーテン補助具１０では、吊下部１６の上端に、レールランナ４４もしくはカーテンフックに対して掛止可能な留め具４０を備えているため、従来から窓部に設置されているレールランナ４４やカーテンフックに対し、カーテン補助具１０を短時間で簡単に装着（または取り外し）できる。
【００２９】
本実施形態のカーテン補助具１０では、吊下部１６はチェーン３５を含んで構成され、吊下部１６の下端は離隔棒１２の軸心周りに回転可能に接続されている。このため、ぶら下がり状態のカーテン補助具１０が多数回回転した場合での、チェーン３５の離隔棒１２への絡み付きを良好に防止することができる。
【００３０】
以上本発明の実施形態およびその変形態様について詳述したが、これらの説明に何ら限定されるものではない。例えば、カーテン補助具組立体における横棒部材については、図７に示すように２本の横棒部材５５ａ、５５ｂを用いることも可能である。また、カーテン補助具組立体に用いられるカーテン補助具の数は、カーテンの幅に合わせて適宜変更可能であるなど、特許請求の範囲の記載を逸脱せず、当業者が容易に想到できる範囲で種々の変形態様もこの発明に含まれる。
【符号の説明】
【００３１】
１０  カーテン補助具
１２  離隔棒
１６  吊下部
２２  カーテン押圧部
２６  受け部
３５  チェーン
４０  留め具
４３  カーテンレール
４４  レールランナ
４８  カーテン
５０  窓
５５，５５ａ，５５ｂ  横棒部材（棒状部材）
６０  カーテン補助具組立体
【図１】
2020168121.tif 000003
【図２】
2020168121.tif 000004
【図３】
2020168121.tif 000005
【図４】
2020168121.tif 000006
【図５】
2020168121.tif 000007
【図６】
2020168121.tif 000008
【図７】
2020168121.tif 000009